(57)【要約】      （修正有）【課題】効率の良いラドン利用手段を提供する。【解決手段】複数の列２ａ〜２ｆ及び複数の行３ａ〜３ｄを交差させた網目形状とし、かつ、ラドンの重量とポリマー部材の重量を３：７〜７：３の範囲で配合してなるラドンシート１とする。また、この場合において、複数の列の間隔及び前記複数の行の間隔の少なくとも一方は、７ｍｍ以上１５ｍｍ以下の範囲にあることが好ましい。また、複数の列の各々の径及び前記複数の行の各々の径の少なくとも一方は、２ｍｍ以上５ｍｍ以下の範囲にあることが好ましい。【選択図】図１
0003161070.tif 000002
【実用新案登録請求の範囲】
【請求項１】
複数の列及び複数の行を交差させた網目形状とし、かつ、ラドンの重量とポリマー部材の重量を３：７〜７：３の範囲で配合してなるラドンシート。
【請求項２】
前記複数の列の間隔及び前記複数の行の間隔の少なくとも一方は、７ｍｍ以上１５ｍｍ以下の範囲にある請求項１記載のラドンシート。
【請求項３】
前記複数の列の各々の径及び前記複数の行の各々の径の少なくとも一方は、２ｍｍ以上５ｍｍ以下の範囲にある請求項１記載のラドンシート。
【考案の詳細な説明】
【技術分野】
【０００１】  本考案は、ラドン粉末を含んだシートに関する。
【背景技術】
【０００２】  ラドンは、原子番号８６番の元素であって、放射性を有し、常温常圧下で気体である。またラドンは、抗酸化機能や免疫機能、更には鎮痛機能を有していると期待されており、ラドンを多く含む温泉や、ラドンを吸入しやすくする装置等、様々なラドン供給手段が提供されてきている。【０００３】  上記に関する公知の技術として、例えば下記特許文献１に、ラドンガスの生成方法に関する記載がある。
【先行技術文献】
【特許文献】
【０００４】
【特許文献１】特許第４１４０９２５号公報
【考案の概要】
【考案が解決しようとする課題】
【０００５】  しかしながら、上記ラドンはいずれも気体のラドンを利用しようとしたものであり、気体で利用する限りにおいて、空気中では分散しやすく、効率の良いラドン利用には未だ課題が残る。【０００６】  そこで、本考案は、上記課題を解決し、効率の良いラドン利用手段を提供することを目的とする。
【課題を解決するための手段】
【０００７】  上記課題を解決する第一の観点に係るラドンシートは、複数の列及び複数の行を交差させた網目形状とし、かつ、ラドンの重量とポリマー部材の重量を３：７〜７：３の範囲で配合してなる。
【考案の効果】
【０００８】  以上、本考案により、効率の良いラドン利用手段を提供することができる。
【図面の簡単な説明】
【０００９】
【図１】実施形態に係るラドンシートの概略図である。
【考案を実施するための最良の形態】
【００１０】  以下、本考案の実施形態について図面を参照しつつ説明する。ただし、本考案は多くの異なる態様で実施することが可能であり、以下に示す実施形態に限定されるものではない。なお、本明細書においては同一又は同様の機能を有する部分には同一の符号を付し、その繰り返しの説明は省略する。【００１１】  図１は、本実施形態に係るラドンシート（以下「本ラドンシート」という。）の概略図であり、右側は本ラドンシートの平面図を、左側は本ラドンシートの列の断面の概略を示す。【００１２】  この図で示すように、本ラドンシート１は、複数の列２ａ〜２ｆ及び複数の行３ａ〜３ｄを交差させた網目形状となっている。また本ラドンシート１は、複数の列２ａ〜２ｆ及び複数の行３ａ〜３ｄにおいて、ラドンの重量とポリマー部材の重量が３：７〜７：３の範囲となっている。本ラドンシートは、通常気体で利用されているラドンをポリマー部材と配合することで、ラドンを固定し、より効率的に利用することができるようになる。【００１３】  本ラドンシートは、上記の通り複数の列２ａ〜２ｆ及び複数の行３ａ〜３ｄによって網目形成となっており、それぞれの列及びそれぞれの行は略垂直に交差して形成されている。ここで「略垂直」とは、完全に垂直であることはもちろん含まれるが、製造上の誤差程度の角度のずれは当然に許容するものであって、たとえば５度から１０度程度の誤差は許容され、８０度以上１００度以下の範囲まで含まれるものとする。なお、この場合において、より望ましくは８５度以上９５度以下の範囲である。【００１４】  本ラドンシート１は、上記のように網目を形成することで、シートを厚くして、放射線を当てる被対象物とシートを支持する台等の支持体との間の距離を確保するとともに、行及び列によって形成される空隙４を介して通気性を確保することができる。また、網目形状とすることで、伸縮性により優れたものとなる。ラドンシートを配置するとそのラドンにより血行が活性化され保温効果を発揮し、被対象部位周辺の温度を高めることができるが、このような構造とすることで熱を適度に発散し、空隙がない場合に比べ不必要に発熱してしまうことを抑え冷却することができるようになるといった健康器具としての優れた効果がある。【００１５】  なお、複数の列２ａ〜２ｆの本数については、それぞれ限定されるものではなく、必要とされる縦及び横の長さに応じて適宜調整可能である。また、複数の列の間隔及び複数の行の間隔の少なくとも一方は、７ｍｍ以上１５ｍｍ以下の範囲にあることが好ましく、より好ましくは７ｍｍ以上１２ｍｍ以下の範囲である。この範囲は、ラドンを含む領域の間隔と等しいものであり、一定の面積（領域）において同じ量のラドンを使用する場合であっても、ラドンの放射線の放射方向を空隙の無い場合のシートにした場合に比べ広く確保できるとともに、ラドンの分布の選択と集中を図ることができ、より効果が高くなるといった効果がある。【００１６】  また本ラドンシートでは、複数の列２ａ〜２ｆ及び複数の行３ａ〜３ｄの径の太さを異ならせることが好ましい。このようにすることで、シート全体に暑さの異なる箇所が存在し、これが凹凸となり、網目形状中に存在する空隙４を介した通気���の確保により寄与する。また、本ラドンシートは、通常の空隙の無いシートにする場合に比べ、使用する体積を削減することができ費用効果を高くすることができるといった効果もある。この場合において、複数の列の各々の径及び複数の行の各々の径は各々異ならせることができ限定されるわけではないが、複数の列の各々の径及び複数の行の各々の径の少なくとも一方は、２ｍｍ以上５ｍｍ以下の範囲にあることが好ましく、より好ましくは双方この範囲に含まれていることが好ましい。【００１７】  また、本ラドンシートは、ラドンの重量とポリマー部材の重量が３：７〜７：３の範囲となっている。本ラドンシートにおいてポリマー部材は、ラドンを包含させて形状を維持するために用いられるものである。ポリマー部材を採用することで平面の台に置くことはもちろん、体に巻く等の柔軟性を確保することができ、伸縮性にきわめて優れたものとなる。ポリマー部材におけるポリマーとしては、ラドンの効果を阻害しない程度のものであれば特に制限なく種々のものを採用することができ、例えばポリ塩化ビニル、アクリル樹脂、ポリスチレン、ポリウレタン等を採用することができるが、発泡性のポリマーを採用すると、表面の凹凸をより多く確保することができ、効果がより高くなるため好ましい。また、ポリマー部材にはポリマー以外の部材が含まれていても良く、例えば糸などの芯材、ゴム等を加えても良く、その意味において「ポリマー部材」と表現する。【００１８】  またラドンシートに含まれるラドンの量は、上記の範囲含まれていればよく、この範囲内とすることで、断面中におけるラドンの分布を一定の範囲に抑え、ポリマーによる効果とラドンの効果とのバランスをとることが可能となるといった効果がある。なおラドンを含ませる方法としては特に限定されず、ラドンを含む粉末を別途用意し、これとポリマーとを配合させてもよく、気体としてポリマーに含ませた後成型する等してもよく、効果を達成できる限りにおいて特に限定されない。【００１９】  また、ラドンの放射線を利用することで、様々な用途を見出すことができる。例えば、ラドンの放出するα線により血流、リンパの流れの活性化が促進され、冷え性、肩・膝・腰の痛み、神経痛等を和らげることができるといった効果があり、更に、血行促進により快眠、肌の張り（化粧ののり）、術後の回復にも効果がある。更には、運動後の乳酸の蓄積を防止することができ、運動においてより強い力を発揮することができるようになるといった効果も期待される。更には、食べ物や飲物に対しても適用し、味をまろやかにすることができるといった効果についても期待される。【００２０】  以上、本考案により、効率の良いラドン利用手段を提供することができる。特に、本実施形態に係るラドンシートは、網目形状に形成されているため空隙のない単なるシートの場合に比べ、より高い効果を達成することができるとともに、更に行と列の径を異ならせる又はポリマー等を採用する等して網目形状において凹凸を設けることで通気性等の効果を達成することが可能となるといった効果がある。【００２１】  なお、本実施形態では、説明を明確に行うため、行及び列を略垂直に配置した例を示しているが、これに限定されること���く、列と行とのなす角度を垂直方向から大きくずらして斜めに配置していることも可能である。この場合、規則性を有していること（具体的には例えば２０度以上７０度以下の範囲内、より好ましくは３０度以上６０度以下の範囲内）が効果の観点から好ましいが、規則性が無い場合も許容することはできる。すなわちこの場合「列」と「行」とは、異なる方向から交差する直線群を区別するために用いる用語であって、必ずしも略直角に交差する場合のみ用いられるものではない。
【実施例】
【００２２】  ここで、上記実施形態に係るラドンシートを実際に作成し、その効果を確認した。以下説明する。【００２３】  本実施例では糸芯を用い、メタクリル酸エステルを重合させたアクリル樹脂を採用し、ラドンの重量とポリマー部材の重量を１：１とし、網目形状のラドンシートを作成した。なおこの場合において、各行の径は平均約３ｍｍ程度の太さとし、各列の径は平均約４ｍｍ程度の太さとした。なお列は、行と交差する部分において行の径にあわせた。また列の中間部（行と行との間の部分）において１〜２ｍｍ程度の凹みを設けて凹凸を形成することとした。また、行の間隔は平均約１３ｍｍとし、列の間隔は平均約１０ｍｍとした。【００２４】  一方、ラドンを含ませていない単なるシートも同様の形状で作成した。【００２５】（保温効果）
そして次に、この二つのシートを用い、保温性に関する効果確認を行なった。具体的には、このシートをそれぞれ２０ｃｍ×２０ｃｍ切り出し、腹囲に包帯にて固定しながら３時間経過したときの体温を測定した。また比較対象としてシートを用いず包帯のみを用いた場合についても測定した。この結果、何もシートを用いず包帯のみを用いた場合及びラドンを含ませていないシートの場合よりも、ラドンシートの場合、３度程度高い温度を確保することができただけでなく、通気性に優れ、不快な蒸れが生じていないことを確認した。
【産業上の利用可能性】
【００２６】本考案は、ラドンを含んだラドンシートとして産業上の利用可能性がある。
【符号の説明】
【００２７】１…ラドンシート、２…列、３…行、４…空隙
【図１】
0003161070.tif 000003
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
ラドンが配合された直線状のポリマー部材を、複数の列及び複数の行を交差させた網目形状に配置し、かつ、ラドンの重量とポリマー部材の重量を３：７〜７：３の範囲で配合してなるラドンシート。
【請求項２】
前記複数の列の間隔及び前記複数の行の間隔の少なくとも一方は、７ｍｍ以上１５ｍｍ以下の範囲にある請求項１記載のラドンシート。
【請求項３】
前記ラドンが配合された直線状のポリマー部材の径は、２ｍｍ以上５ｍｍ以下の範囲にある請求項１記載のラドンシート。
【手続補正２】
【補正対象書類名】明細書
【補正対象項目名】０００７
【補正方法】変更
【補正の内容】
【０００７】
上記課題を解決する第一の観点に係るラドンシートは、ラドンが配合された直線状のポリマー部材を、複数の列及び複数の行を交差させた網目形状に配置し、かつ、ラドンの重量とポリマー部材の重量を３：７〜７：３の範囲で配合してなる。
【手続補正３】
【補正対象書類名】明細書
【補正対象項目名】００１２
【補正方法】変更
【補正の内容】
【００１２】
この図で示すように、本ラドンシート１は、ラドンが配合された直線状のポリマー部材を、複数の列２ａ〜２ｆ及び複数の行３ａ〜３ｄを交差させた網目形状に配置している。また本ラドンシート１は、複数の列２ａ〜２ｆ及び複数の行３ａ〜３ｄにおいて、ラドンの重量とポリマー部材の重量が３：７〜７：３の範囲となっている。本ラドンシートは、通常気体で利用されているラドンをポリマー部材と配合することで、ラドンを固定し、より効率的に利用することができるようになる。
【手続補正４】
【補正対象書類名】明細書
【補正対象項目名】００１６
【補正方法】変更
【補正の内容】
【００１６】
また本ラドンシートでは、複数の列２ａ〜２ｆ及び複数の行３ａ〜３ｆの径の太さを異ならせることが好ましい。このようにすることで、シート全体に暑さの異なる箇所が存在し、これが凹凸となり、網目形状中に存在する空隙４を介した通気性の確保により寄与する。また、本ラドンシートは、通常の空隙の無いシートにする場合に比べ、使用する体積を削減することができ費用効果を高くすることができるといった効果もある。この場合において、複数の列の各々の径及び複数の行の各々の径は各々異ならせることができ限定されるわけではないが、ラドンが配合された直線状のポリマー部材によって構成される複数の列の各々の径及び複数の行の各々の径の少なくとも一方は、２ｍｍ以上５ｍｍ以下の範囲にあることが好ましく、より好ましくは双方この範囲に含まれていることが好ましい。